(57)【要約】【課題】本考案は、風や重力などといった外的要因に影響されることなく、吊り下げられるハンガーを所定の位置に規制することができるハンガー吊下げ用具を提供することを課題とする。【解決手段】本考案に係るハンガー吊下げ用具は、長尺な本体１の長手方向に沿って複数の孔２，２…が形成され、各孔２，２…にハンガーＨのフック部Ｈ１を係入可能に構成されることを特徴とする。【選択図】図１
0003126284.tif 000002
【実用新案登録請求の範囲】
【請求項１】
長尺な本体の長手方向に沿って複数の孔が形成され、各孔にハンガーのフック部を係入可能に構成されることを特徴とするハンガー吊下げ用具。
【請求項２】
前記本体は、扁平なテープ形状を有することを特徴とする請求項１に記載のハンガー吊下げ用具。
【請求項３】
前記本体は、紐形状を有することを特徴とする請求項１に記載のハンガー吊下げ用具。
【請求項４】
前記本体は、繊維を製織することで形成され、前記孔は、前記製織の際に形成されることを特徴とする請求項１から３のいずれか一項に記載のハンガー吊下げ用具。
【請求項５】
前記本体の長手方向両端部には、リングが設けられることを特徴とする請求項１から４のいずれか一項に記載のハンガー吊下げ用具。
【考案の詳細な説明】
【技術分野】
【０００１】
本考案は、衣服等が掛けられるハンガーなどを吊り下げるためのハンガー吊下げ用具に関する。
【背景技術】
【０００２】
一般に、衣服等は、ハンガーに掛けて乾燥させたり収納されたりする。そして、これらハンガーは、目的に応じて、屋外若しくは屋内に設置された竿や紐などのハンガー吊下げ用具に吊り下げられる。この場合、ハンガーは、該ハンガーに設けられたフック部をハンガー吊下げ用具に上方から載せるように引っ掛ける態様で吊り下げられる。
【考案の開示】
【考案が解決しようとする課題】
【０００３】
しかしながら、これでは、ハンガー吊下げ用具の長手方向に沿ってハンガーが移動するのを規制することができないため、ハンガーをハンガー吊下げ用具に吊り下げた後に種々の問題が生じる場合がある。例えば、衣類を掛けた状態でハンガーを屋外に吊り下げた場合、衣類が大きな表面積を有するために、風が吹くと大きな力が作用し、ハンガー（及びそれに掛かっている衣類等）がハンガー吊下げ用具の長手方向に沿って移動してしまう。すると、たとえ当初は所定の間隔を置いてハンガーを吊り下げていたとしても、結局はハンガーが一箇所に集まって衣類等が互いに密着してしまい、例えば濡れた衣服等を効率的に乾燥させることができないといった不都合がある。
【０００４】
同様な問題は、屋外に限られず、屋内においても発生し得る。例えば、風が吹かない屋内であっても、物に当たったり人に押されたりすることによって吊り下げられたハンガーに外力が作用してしまう状況が考えられる。また、紐のように変形自在なハンガー吊下げ用具にハンガーを吊り下げた場合には、吊り下げられる数量が少ないうちはあまり顕著ではないものの、吊り下げられるハンガー（即ち、それに掛かっている衣類等）の重量に影響されて撓む状況が発生し得る。すると、ハンガーが傾斜に沿って最も低い位置まで移動して、結局ハンガーが一箇所に集まってしまい、衣類等が密着する状況が発生する。クローゼットに衣服等を収納する場合には、衣類等が密着してしまうと、湿気によってカビが生えやすくなるとか、衣服に施された柄等が隠れてしまって衣服を区別しにくくなるなどといった不都合もある。
【０００５】
そこで、本考案は、風や重力などといった外的要因に影響されることなく、吊り下げられるハンガーを所定の位置に確実に規制することができるハンガー吊下げ用具を提供することを目的とする。
【課題を解決するための手段】
【０００６】
本考案に係るハンガー吊下げ用具は、長尺な本体の長手方向に沿って複数の孔が形成され、各孔にハンガーのフック部を係入可能に構成されることを特徴とする。
【０００７】
上記構成からなるハンガー吊下げ用具によれば、前記ハンガーのフック部が孔に係入されることで移動が規制される。
【０００８】
この場合、前記本体は、例えば扁平なテープ形状（若しくは帯形状）を有するものや、紐形状を有するものが考えられる。
【０００９】
そして、前記本体は、繊維を製織することで形成され、前記孔は、前記製織の際に形成されるものであることが好ましい。
【００１０】
このようにすれば、本体を形成してから孔を別途設けるといった手順を省略することができるため、工程数を減らすことができる。しかも、孔を事後的に設けることでハンガー吊下げ用具の強度を不測に低下させてしまうといった不都合がない。
【００１１】
また、前記本体の長手方向両端部には、リングが設けられるものであることが好ましい。
【００１２】
このようにすれば、リングを適宜周囲の物体（例えば、物干し台等）に引っ掛けることができるので、ハンガー吊下げ用具を所定の高さの位置で架け渡すことが容易となる。また、これ以外にも、前記本体を周囲の物体に巻き付けた上でリングの中に該本体を挿通して縛り付けることで、ハンガー吊下げ用具を架け渡すといった使い方でもよい。
【考案の効果】
【００１３】
以上のように、本考案に係るハンガー吊下げ用具によれば、外的要因に影響されることなく、吊り下げられるハンガーを所定の位置に確実に規制することができる。
【考案を実施するための最良の形態】
【００１４】
以下に、本考案に係るハンガー吊下げ用具の実施形態について、図面に基づいて説明する。
【００１５】
本実施形態に係るハンガー吊下げ用具は、図１に示すように、長尺な本体１の長手方向に沿って複数の孔２，２…が形成され、各孔２，２…にハンガーＨのフック部Ｈ１を係入可能に構成される。前記複数の孔２，２…は、所定の間隔ごとに形成される。また、前記本体１（即ち、ハンガー吊下げ用具の外観）は、扁平なテープ形状を有する。
【００１６】
そして、前記本体１の長手方向両端部には、ハンガー吊下げ用具を容易に架け渡すことができるように、リング３，３が設けられている。
【００１７】
ところで、前記本体１は、例えばポリプロピレン等の繊維を製織することで形成され、前記孔２は、前記製織の際に形成される。また、前記本体１を製作する方法としては、前記二丁杼（にちょうび）と呼ばれる製織法が用いられる。図２に基づいて具体的に説明すると、前記本体１は、複数の経（たて）糸ａ…，ｂ…と緯（よこ）糸ｃ…，ｄ…とで構成されるものであり、且つ、前記経糸ａ…，ｂ…は、二つの経糸群Ａ，Ｂに分けて設けられるとともに、前記緯糸ｃ…，ｄ…は、二つの経糸群Ａ，Ｂに対応して二つの緯糸系統（若しくは緯糸群）Ｃ，Ｄに分けて設けられる。二つの緯糸系統Ｃ，Ｄの緯糸ｃ，ｄは、それぞれ別のシャトル（杼）に取り付けられて操作される。
【００１８】
前記本体１のうち孔２が形成されない長手方向部位（接続部位）Ｘでは、図２（Ａ）に示すように、二つの経糸群Ａ，Ｂの経糸ａ，ｂに対して前記二つの緯糸系統Ｃ，Ｄの緯糸ｃ，ｄがそれぞれ織り込まれる。即ち、緯糸ｃは、二つの経糸群Ａ，Ｂの経糸ａ…，ｂ…に対して織り込まれ、同様に、緯糸ｄは、二つの経糸群Ａ，Ｂの経糸ａ…，ｂ…に対して織り込まれる。この結果、二つの経糸群Ａ，Ｂの経糸ａ，ｂ同士が結合されて一体化した状態となる。
【００１９】
一方、前記本体１のうち孔２が形成される長手方向部位（孔部位）Ｙでは、図２（Ｂ）に示すように、二つの経糸群Ａ，Ｂの経糸ａ，ｂのそれぞれに対して前記二つの緯糸系統Ｃ，Ｄの緯糸ｃ，ｄがそれぞれ別に織り込まれる。即ち、緯糸ｃは、経糸群Ａの経糸ａ，ａ…に対して織り込まれ、これとは別に、緯糸ｄは、経糸群Ｂの経糸ｂ，ｂ…に対して織り込まれる。この結果、二つの経糸群Ａ，Ｂの経糸ａ，ｂ同士が結合されずに分離した状態となる。
【００２０】
このように、前記孔部位Ｙでは前記二つの経糸群Ａ，Ｂが対向するとともに、その長手方向両端の前記接続部位Ｘにおいて二つの経糸群Ａ，Ｂの経糸ａ，ｂ同士が結合されることで、前記孔２が画定される。
【００２１】
このような構造を有するハンガー吊下げ用具の使用態様について説明すると、まず、前記リング３を適宜周囲の物体（例えば、物干し台等）に引っ掛けて、ハンガー吊下げ用具を所定の高さの位置で架け渡す。なお、これ以外にも、前記本体１を周囲の物体に巻き付けた上でリング３の中に該本体１を挿通して縛り付けることで、ハンガー吊下げ用具を架け渡すといった使い方もできる。次に、ハンガー吊下げ用具の本体１に形成された複数の孔２，２…にハンガーＨのフック部Ｈ１を係入する。なお、これに限られず、ハンガー吊下げ用具を架け渡すのに先だって、予め複数の孔２，２…にハンガーＨのフック部Ｈ１を係入しておいてもよい。
【００２２】
以上のように、本実施形態に係るハンガー吊下げ用具によれば、ハンガーＨのフック部Ｈ１が孔２に係入されることで移動を規制されるため、風や重力といった外的要因に影響されることなく、吊り下げられるハンガーＨ，Ｈ…を所定の位置に確実に規制することができる。
【００２３】
また、本実施形態に係るハンガー吊下げ用具は、本体１が繊維を製織することで形成されるとともに、前記孔２が前記製織の際に形成されるものであるため、本体１を形成してから孔２を別途設けるといった手順を省略することができ、工程数を減らすことができる。しかも、孔２を事後的に設けることでハンガー吊下げ用具の強度を不測に低下させてしまうといった不都合がない。
【００２４】
さらに、前記本体１の長手方向両端部にリング３が設けられるため、リング３を適宜周囲の物体（例えば、物干し台等）に引っ掛けることで、ハンガー吊下げ用具を所定の高さの位置で架け渡すことが容易となる。
【００２５】
なお、本考案に係るハンガー吊下げ用具は、上記実施形態に限定されるものではなく、本考案の要旨を逸脱しない範囲で種々の変更が可能である。
【００２６】
例えば、前記本体１は、扁平なテープ形状に形成されるものとして説明したが、これに限定されるものではなく、例えば、図３に示すような紐形状を有するものであってもよい。この場合、本体１を構成する繊維としては、糸を撚る若しくは縮れさせるウーリー加工を施したもの（例えば、ポリエステル）を使用することが好ましい。
【００２７】
また、前記本体１は、前記二丁杼と呼ばれる製織法によって製作されるものとして説明したが、これに限定されるものではなく、複数のシャトルを用いる製織法（多丁杼）によるものであれば、製作することが可能である。即ち、経糸ａ…，ｂ…は、二つの経糸群Ａ，Ｂに分けて設けられるものとして説明したが、これに限定されるものではなく、複数の経糸群に分けて設けられるものであればよい。また、この場合には、経糸群の数量に対応した数量分の緯糸系統が設けられることが好ましい。
【００２８】
そして、前記ハンガー吊下げ用具は、長手方向両端部に設けられたリング３を用いて架け渡されるものとして説明したが、リングは必須の部材ではない。即ち、例えば本体をそのまま周囲の物体に巻き付けたり縛り付けたりすることで、ハンガー吊下げ用具を架け渡すことができる。
【００２９】
さらに、ハンガー吊下げ用具を架け渡すのに用いられる部材としては、上記リング３以外にも、例えば側方に向かって開口した形状を有するフックを用いてもよい（図４参照）。かかるフックを用いれば、前記周囲の物体に直接引っ掛けてハンガー吊下げ用具を容易に架け渡すことができる。さらに、本体１を周囲の物体に巻き付けた上で該本体１に形成された孔２に前記フックを引っ掛けることにより、前記ハンガー吊下げ用具を前記周囲の物体に対して固定することもできる。
【００３０】
また、本考案に係るハンガー吊下げ用具の使用態様は、上記のものに限定されるものではない。例えば、前記フックを用いたハンガー吊下げ用具を例にとると、図４に示すように、前記本体１の一端部を所定の高さ位置において固定することによりハンガー吊下げ用具を鉛直方向に沿う状態でぶら下げた上で、該ハンガー吊下げ用具の本体１に形成された複数の孔２，２…にハンガーＨのフック部Ｈ１を係入することにより、複数のハンガーＨ，Ｈ…が鉛直方向に沿って吊り下げられるものであってもよい。
【００３１】
そして、ハンガー吊下げ用具を架け渡すに際しては、前記本体１が両端間で一直線状となるように張る以外にも、本体１が任意の形状に変形可能であることを活かして、例えば中間部で折曲させる態様で張ることも可能である。このようにすれば、本体１の全長に満たない幅の狭い場所であってもハンガー吊下げ用具を架け渡すことができ、空間を有効利用することができる。
【００３２】
さらに、色彩の異なる糸を複数用い、表面に表れる糸若しくは糸の組み合わせが前記接続部位Ｘと孔部位Ｙとで変化するように製織することで、接続部位Ｘと孔部位Ｙとを明確に識別できるようにしたものであってもよい。
【図面の簡単な説明】
【００３３】
【図１】本考案の実施形態に係るハンガー吊下げ用具を示す。
【図２】同実施形態に係るハンガー吊下げ用具の構造を説明する図であって、（Ａ）は、二つの経糸群の経糸同士が結合されて一体化した状態の接続部位の概略図を示し、（Ｂ）は、二つの経糸群の経糸同士が結合されずに分離した状態の接続部位の概略図を示す。
【図３】他の実施形態に係るハンガー吊下げ用具を示す。
【図４】さらに他の実施形態に係るハンガー吊下げ用具を、他の使用態様で使用した状態を示す。
【符号の説明】
【００３４】
１…本体、２…孔、３…リング、ａ，ｂ…経糸、Ａ，Ｂ…経糸群、ｃ，ｄ…緯糸、Ｃ，Ｄ…緯糸系統、Ｈ…ハンガー、Ｈ１…フック部、Ｘ…接続部位、Ｙ…孔部位
【図１】
0003126284.tif 000003
【図２】
0003126284.tif 000004
【図３】
0003126284.tif 000005
【図４】
0003126284.tif 000006